(57)【要約】    【課題】移動端末装置が無線ＬＡＮスポットから離れている場合、無線ＬＡＮのスキャンを行わないように制御し、電池の電力消費を抑える。    【解決手段】各地の無線ＬＡＮスポットを予め格納する無線ＬＡＮスポット位置情報格納部と、接続される公衆移動通信網の管理基地局に基づいて現在の所在エリアを特定するエリア決定部と、現在位置を特定する位置決定部と、直近の無線ＬＡＮスポットまでの最短距離の計算を行う距離計算部と、算出された距離に基づいて次回の距離計算を行う契機および無線ＬＡＮ通信網に接続すべくスキャンを行う契機を決定する通信制御部とを備え、前記通信制御部は、距離計算部によって算出された距離が予め定められた閾値より遠い場合は管理基地局の切り替わりを次回距離計算の契機とし、算出された距離が前記閾値以内であるが無線ＬＡＮスポットの範囲外の場合は所定時間の経過を次回距離計算の契機とする移動端末装置。【選択図】図２
2013201656.tif 000002
【特許請求の範囲】
【請求項１】
公衆移動通信網に接続して通信を行う公衆移動通信部と、
無線ＬＡＮ通信網に接続して通信を行う無線ＬＡＮ通信部と、
無線ＬＡＮ通信網に接続可能な複数の無線ＬＡＮスポットの位置情報を予め格納する無線ＬＡＮスポット位置情報格納部と、
接続される公衆移動通信網の管理基地局に基づいて現在の所在エリアを特定するエリア決定部と、
前記所在エリアよりも詳細な現在位置を特定する位置決定部と、
前記所在エリアまたは現在位置から前記無線ＬＡＮスポット位置情報格納部に格納された無線ＬＡＮスポットのうち直近の無線ＬＡＮスポットまでの最短距離の計算を行う距離計算部と、
算出された距離に基づいて次回の距離計算を行う契機および無線ＬＡＮ通信網に接続すべくスキャンを行う契機を決定する通信制御部とを備え、
前記通信制御部は、距離計算部によって算出された距離が予め定められた閾値より遠い場合は管理基地局の切り替わりを次回距離計算の契機とし、当該契機における前記所在エリアと前記無線ＬＡＮスポット位置情報格納部に格納された無線ＬＡＮスポットのうち直近の無線ＬＡＮスポットとの間で次回距離計算を行い、距離計算部によって算出された距離が前記閾値以内であるが無線ＬＡＮスポットの範囲外の場合は所定時間の経過を次回距離計算の契機とし、当該契機における前記現在位置と前記無線ＬＡＮスポット位置情報格納部に格納された無線ＬＡＮスポットのうち直近の無線ＬＡＮスポットとの間で次回距離計算を行い、算出された距離が無線ＬＡＮスポットの範囲内の場合は前記スキャンを行うように制御することを特徴とする移動端末装置。
【請求項２】
前記通信制御部は、無線ＬＡＮ通信網に接続している間は距離計算を行わず、無線ＬＡＮ通信網への接続が途絶えた場合に距離計算を再開するように制御する請求項１に記載の移動端末装置。
【請求項３】
前記通信制御部は、無線ＬＡＮ通信網への接続が途絶えてから所定時間が経過したことを契機に前記スキャンを止めて前記現在位置と前記無線ＬＡＮスポットとの間で距離計算を行うように制御する請求項２に記載の移動端末装置。
【請求項４】
前記通信制御部は、予め定められた複数の時間の中から、近い距離ではより短い時間となるような、算出された距離に応じた一つの時間を選択し前記所定時間とする請求項１〜３の何れか一つに記載の移動端末装置。
【発明の詳細な説明】
【技術分野】
【０００１】
この発明は、公衆移動通信網と無線ＬＡＮ通信網のいずれにも接続可能であり、状況に応じて何れか一方の通信網を用いて通信できる移動端末装置に関する。
【背景技術】
【０００２】
近年、公衆移動通信網と無線ＬＡＮ通信網のいずれにも接続可能であり、状況に応じて何れか一方の通信網を用いて通信できる、いわゆるデュアルモードタイプの移動端末装置が提案され、市場に導入されている。
デュアルモードタイプの移動通信端末は、相手方が公衆移動通信網用の通信端末かＬＡＮ通信網用の端末かによって、接続する通信網を選択することができる。さらに、例えばインターネット上のウェブサイトの閲覧といったような、いずれの通信網も使用可能な場合は、通信料金やデータの通信速度の観点から有利な方を用いることができる。今日の状況では、無線ＬＡＮ通信網の方が通信速度の観点から有利な場合が多く、また無線ＬＡＮ通信網無料もしくはより安価な場合が多い。
【０００３】
一方で、無線ＬＡＮは、Local Area Networkの語が示すように、一つの親機で通信可能なエリアが公衆移動通信網の基地局に比べると非常に狭く、使用可能な場所は家庭やオフィス等に限られていた。この点、導入当初から広い地域のカバーを前提に施設が整備されてきた公衆移動通信網とは異なる。ところが近年、都市部の公共施設等で無線ＬＡＮスポット（例えば、いわゆるＷｉＦｉスポットあるいはＷｉＦｉポイントと呼ばれる公衆無線ＬＡＮ施設）が整備されつつあり、外出先でも無線ＬＡＮを使用できるケースが増加しつつある。それらの無線ＬＡＮスポットには、無料でインターネットに接続できるものが多数含まれている。公衆移動通信網がカバーするエリアの広さには遠く及ばないものの、今後も整備が進むものと考えられる。このような背景の下、デュアルモードタイプの移動端末装置が市場に受け入れられつつある。
【０００４】
ところで、無線ＬＡＮ通信網に接続するためには、移動端末装置が無線ＬＡＮ規格に従ったスキャンを行ってその移動端末装置と接続可能なアクセスポイントを探索する必要がある。このスキャンをうまく行わないと無駄な電力を消費することになってしまう。どのような状況、タイミングでスキャンを行うかが重要である。
【０００５】
無線ＬＡＮのスキャンに関する技術として、次のものが知られている。例えば、公衆移動通信網の同一基地局のエリア内で、無線ＬＡＮ通信網に接続できない状態が予め定めた閾値に達したとする。その場合は、アクセスポイントを検出できる可能性が低いと判断し、アクセスポイント探索のスキャン間隔を長い周期に変更する。その後、その基地局から退出するときにスキャン間隔のデータを保持しておく。次回この基地局内に入ったときは、保持された間隔でスキャンする。このようにして、スキャンに要する消費電力を低減する（例えば、特許文献１参照）。
また、公衆移動通信網の同一基地局内にいる間、アクセスポイント探索のスキャン間隔を徐々に延長し、基地局変更があった場合にスキャン間隔を初期値に戻してスキャンを実施する手法が提案されている（例えば、特許文献２参照）。端末が移動した場合に新たな無線ＬＡＮスポットを速やかに探索して無線ＬＡＮ通信網に接続する手法である。
【０００６】
また、様々な場所に設置された無線ＬＡＮ基地局から安全情報を配信するサービスを提供するシステムであって、スタンドアロン基地局を用いるシステムに関して次の手法が提案されている。ここで、スタンドアロン基地局とは、他の基地局の位置情報を、ネットワーク等を経て常時取得することができない基地局のことである。各スタンドアロン基地局は複数の携帯端末からそれぞれの携帯端末が直前に通信した基地局の位置情報を受信し、その位置情報を隣接基地局の位置情報として保持する。これにより、隣接基地局との間に新規の基地局が存在するかを判断する。新規の隣接基地局が存在すると判断した場合は、隣接基地局の位置情報と、携帯端末側で基地局検出の処理を行うべきスケジュールとを更新する。さらに、携帯端末に対して検出スケジュール情報を送信する。これにより、携帯端末が常時検出を行わずともスケジュール情報に従った基地局検出により安全情報を受信できるようする（例えば、特許文献３参照）。
【先行技術文献】
【特許文献】
【０００７】
【特許文献１】特開２００８−６７１８３号公報
【特許文献２】特開２０１０−１８７１６７号公報
【特許文献３】特開２０１１−１３９２５２号公報
【発明の概要】
【発明が解決しようとする課題】
【０００８】
しかし、前述のように、無線ＬＡＮスポットがカバーするエリアは公衆移動通信網がカバーするエリアの広さには遠く及ばないのが現状である。従って、移動端末装置が無線ＬＡＮスポットから明らかに離れている場合、無線ＬＡＮのスキャンを停止しないと移動端末装置の電力を無駄に消費してしまう。
この発明は、以上のような事情を考慮してなされたものであって、移動端末装置が無線ＬＡＮスポットから離れている場合、無線ＬＡＮのスキャンを行わないように制御し、電池の電力消費を抑えることができる手法を提供する。
【課題を解決するための手段】
【０００９】
この発明は、公衆移動通信網に接続して通信を行う公衆移動通信部と、無線ＬＡＮ通信網に接続して通信を行う無線ＬＡＮ通信部と、無線ＬＡＮ通信網に接続可能な複数の無線ＬＡＮスポットの位置情報を予め格納する無線ＬＡＮスポット位置情報格納部と、接続される公衆移動通信網の管理基地局に基づいて現在の所在エリアを特定するエリア決定部と、前記所在エリアよりも詳細な現在位置を特定する位置決定部と、前記所在エリアまたは現在位置から前記無線ＬＡＮスポット位置情報格納部に格納された無線ＬＡＮスポットのうち直近の無線ＬＡＮスポットまでの最短距離の計算を行う距離計算部と、算出された距離に基づいて次回の距離計算を行う契機および無線ＬＡＮ通信網に接続すべくスキャンを行う契機を決定する通信制御部とを備え、前記通信制御部は、距離計算部によって算出された距離が予め定められた閾値より遠い場合は管理基地局の切り替わりを次回距離計算の契機とし、当該契機における前記所在エリアと前記無線ＬＡＮスポット位置情報格納部に格納された無線ＬＡＮスポットのうち直近の無線ＬＡＮスポットとの間で次回距離計算を行い、算出された距離が前記閾値以内であるが無線ＬＡＮスポットの範囲外の場合は所定時間の経過を次回距離計算の契機とし、前記現在位置と前記無線ＬＡＮスポットとの間で次回距離計算を行い、算出された距離が無線ＬＡＮスポットの範囲内の場合は前記スキャンを行うように制御することを特徴とする移動端末装置を提供する。
【発明の効果】
【００１０】
この発明において、通信制御部は、距離計算部によって算出された距離が予め定められた閾値より遠い場合は管理基地局の切り替わりを次回距離計算の契機とし、当該契機における前記所在エリアと前記無線ＬＡＮスポット位置情報格納部に格納された無線ＬＡＮスポットのうち直近の無線ＬＡＮスポットとの間で次回距離計算を行い、算出された距離が前記閾値以内であるが無線ＬＡＮスポットの範囲外の場合は所定時間の経過を次回距離計算の契機とし、前記現在位置と前記無線ＬＡＮスポットとの間で次回距離計算を行い、算出された距離が無線ＬＡＮスポットの範囲内の場合は前記スキャンを行うように制御するので、移動端末装置が無線ＬＡＮスポットから離れている場合、無線ＬＡＮのスキャンを行わないように制御し、スキャンに伴う電池の電力消費を抑えることができる。さらに、移動端末装置が前記閾値より遠い場合は、公衆移動通信網の管理基地局のみを用い測位を行わずに現在の位置を特定するので、測位に伴う電池の電力消費を抑えることができる。
【００１１】
ここで、この発明についてより具体的に述べておく。
この発明において、公衆移動通信部は、公衆移動通信網を介した通信を実現するハードウェアである。公衆移動通信網としては、例えば、W-CDMAやCDMA2000の規格に準拠した通信網が該当する。ただし、これらのいわゆる第三世代の移動体通信規格に限定されず、他の世代の規格やＰＨＳなどの別の移動体通信規格も含む。公衆移動通信部の具体的なハードウェアとしては、例えば、公衆移動通信網用の通信インターフェイス回路やアンテナがこれに含まれる。後述する実施例においては、無線ＬＡＮ用通信アンテナおよび無線ＬＡＮ通信インターフェイス回路がこれに相当する。
【００１２】
無線ＬＡＮ通信部は、無線ＬＡＮ通信網を介した通信を実現するハードウェアである。無線ＬＡＮ通信網としては、例えばIEEE802.11の各種規格に準拠した通信網が該当する。無線ＬＡＮ通信部の具体的なハードウェアとしては、例えば、無線ＬＡＮ通信網用の通信インターフェイス回路やアンテナがこれに含まれる。後述する実施例においては、無線ＬＡＮ用アンテナおよび無線ＬＡＮ通信インターフェイス回路がこれに相当する。
無線ＬＡＮスポット位置情報格納部は、無線ＬＡＮスポットが存在する位置のデータを格納する記憶装置であり、具体的なハードウェアとしてはフラッシュメモリ等の不揮発性メモリが相当する。
【００１３】
エリア決定部は、公衆移動通信網の基地局の単位で移動端末装置の現在の所在を特定するものである。つまり、移動端末装置が現在どの基地局のエリア内にあるかを特定するものである。この態様は、例えば、移動端末装置の移動に伴ってその移動端末装置を管理する基地局が切り替わるときにその移動端末装置から送信される情報を用いて実現される。その情報とは具体的には、パケット交換用位置登録情報「Routing Area Update」や回線交換用位置情報「Location Area Update」である。エリア決定部の具体的な態様としては、例えば、ＣＰＵがエリア決定部としての処理を定めたプログラムを実行することによりその機能が実現される。
【００１４】
位置決定部は、前記エリア決定部よりも詳細に、移動端末装置の現在位置を特定するものである。例えば、ＧＰＳ（Global Positioning System、全地球測位システム）を用いてより詳細な現在位置を特定するものである。具体的なハードウェアとして、ＧＰＳ用の衛生電波受信回路と受信した信号の処理回路とが位置決定部の構成要素に相当する。さらに、それらのハードウェアと協働してＣＰＵが位置決定部としての処理を定めたプログラムを実行することによりその機能が実現される。
【００１５】
また、距離計算部は、無線ＬＡＮスポットと移動端末装置との距離を計算するものである。移動端末装置の現在位置は状況に応じて、エリア決定部による所在エリアとして特定され、あるいは、位置決定部による現在位置として特定される。距離計算部は、特定された所在エリアまたは現在位置を用いて、登録された無線ＬＡＮスポットのうち直近のものまでの最短距離を算出する。距離計算部の具体的な態様としては、例えば、前記ＣＰＵが距離計算部としての処理を定めたプログラムを実行することによりその機能が実現される。
【００１６】
さらにまた、通信制御部は、前記公衆移動通信部、無線ＬＡＮ通信部、エリア決定部、位置決定部および距離計算部等、移動端末装置の各部を制御し、特に無線ＬＡＮのスキャンの実行を制御するものである。その具体的な態様は、例えば、前記ＣＰＵが通信制御部としての処理を定めたプログラムを実行することによりその機能が実現される。
【図面の簡単な説明】
【００１７】
【図１】この発明による移動端末装置の一例としての携帯端末の、電気的構成例を示すブロック図である。
【図２】この発明に係る通信制御部が無線ＬＡＮのスキャン実行の要否を制御する手順を示すフローチャートである。
【図３】この発明に係る無線ＬＡＮスポットを登録するメニュー画面の一例を示す説明図である。
【発明を実施するための形態】
【００１８】
以下、この発明の好ましい態様について説明する。
前記通信制御部は、無線ＬＡＮ通信網に接続している間は距離計算を行わず、無線ＬＡＮ通信網への接続が途絶えた場合に距離計算を再開するように制御してもよい。距離計算はスキャンの要否を決めるために行うので、このようにすれば、既に無線ＬＡＮ通信網に接続できている間は距離計算を省略して通信制御部の処理負荷を軽くできる。また、距離計算やそのための測位に伴う電力消費を抑制することができる。
【００１９】
さらに、前記通信制御部は、無線ＬＡＮ通信網への接続が途絶えてから所定時間が経過したことを契機に前記スキャンを止めて前記現在位置と前記無線ＬＡＮスポットとの間で距離計算を行うように制御してもよい。このようにすれば、移動端末装置が無線ＬＡＮスポットの範囲から外れた場合に無線ＬＡＮのスキャンを行わないように制御し、電力消費を抑えることができる。また、距離計算を行うことによって無線ＬＡＮスポットの範囲内に入ったと判断し、スキャンを再開できる。
【００２０】
また、前記通信制御部は、予め定められた複数の時間の中から、近い距離ではより短い時間となるような、算出された距離に応じた一つの時間を選択し前記所定時間としてもよい。このようにすれば、移動端末装置が無線ＬＡＮスポットから遠く離れているときは距離計算の頻度を落として電力消費を抑えることができる。その一方で、無線ＬＡＮスポットに近づくと距離計算の頻度を高めて速やかに無線ＬＡＮスポットへの接続するように制御できる。
この発明の好ましい態様は、ここで示した複数の態様のうち何れかを組み合わせたものも含む。
【００２１】
以下、図面を用いてこの発明をさらに詳述する。なお、以下の説明は、すべての点で例示であって、この発明を限定するものと解されるべきではない。
図１は、この発明による移動端末装置の一例としての携帯端末１１の電気的構成を示すブロック図である。図１に示す携帯端末１１は、無線ＬＡＮ用通信用アンテナ１３、無線ＬＡＮ通信インターフェイス回路１５、移動通信用アンテナ１７、移動通信インターフェイス回路１９およびＧＰＳ回路２１を備える。さらに、制御部２３およびメモリ２５を備える。制御部２３は、ＣＰＵ、タイマー２４、入出力回路およびその他の周辺回路を含んでなる。前記ＣＰＵがメモリ２５に予め格納された処理プログラムを実行することによって、この発明に係る通信制御部２７、エリア決定部２９、位置決定部３０および距離計算部３１の機能が実現される。メモリ２５は、不揮発性記憶装置としてのフラッシュメモリと揮発性記憶装置としてのＲＡＭから構成される。さらに、携帯端末１１は、スピーカ３３、マイクロフォン３５を備える。また、表示装置として液晶ディスプレイ３７を備え、入力装置としてタッチパネルセンサー３９を備える。入力装置としてはさらに、図示しない電源スイッチも備えている。そして、各部に電力を供給する電池４１を備えている。制御部２３は、各部分の動作を制御する。
なお、図１の構成は一例であって本願発明の本質はこの構成に限定されるものでない。
【００２２】
図２は、この発明の通信制御部２７が無線ＬＡＮのスキャン実行の要否を制御する手順を示すフローチャートである。図２に沿って、通信制御部２７の処理を説明する。図２は、無線ＬＡＮスポットの一例であるいわゆるＷｉＦｉスポットへの接続を行うためのＷｉＦｉスキャンについて述べている。ただし、他の方式の無線ＬＡＮであっても、この実施形態を適用することは当業者であれば容易であろう。
制御の前提として、携帯端末１１のメモリ２５には、予めＷｉＦｉスポットの位置が登録されているものとする。ＷｉＦｉスポットの登録は、例えばユーザがタッチパネルセンサー３９を用いて所定の指示を入力すると、制御部２３がその指示に応答して登録処理用のプログラムを実行することにより行われる。前記プログラムを実行する制御部２３は、液晶ディスプレイ３７にＷｉＦｉスポット登録用のメニューを表示させる。図２の左上端に登録メニューの画面の一例を小さく示しており、図３は、その登録メニューを示す説明図である。
【００２３】
図３に示す登録メニュー５１が液晶ディスプレイ３７に表示されているときに、タッチパネルセンサー３９を用いてユーザが登録の操作を行うことができる。詳細には、ユーザがＷｉＦｉスポットを識別するための名称、ＷｉＦｉスポットの緯度、経度を入力し「登録」ボタンを押す操作を行う。その操作に応答して、制御部２３は入力された内容をメモリ２５に格納する。なお、前記メニュー画面には「設定を有効にする」のチェックマークボタンがあり、ユーザがこのボタンにチェックマークを入れた状態で、登録されたＷｉＦｉスポットが有効になる。
このようなユーザによる個別の手入力とは異なる登録手段も用意されている。携帯端末１１がＷｉＦｉスポットの範囲内にあるときに「現在地検索」ボタンが押されると、制御部２３がＧＰＳ回路２１を用いて現在位置の緯度、経度を取得し、それを登録する。また、さらに別の登録手段が用意されていてもよい。例えば、ＷｉＦｉスポットの位置データがインターネット上のサーバに予めアップロードされており、制御部２３は、そのデータをダウンロードする図示しないメニューを提供してもよい。そのメニューに対するユーザからの操作に応答して制御部２３はデータをダウンロードしてメモリ２５に登録する。
【００２４】
以上のように、無線ＬＡＮスポットの登録がなされていることを前提としてフローチャートの説明を行う。携帯端末１１の図示しない電源ボタンがオンされると、制御部２３が種々の処理を開始する。その処理には、通信制御部２７としての処理が含まれる。通信制御部２７は、まず、ＷｉＦｉスポットの位置がメモリ２５に登録されているか否かを調べる（ステップＳ１１）。ＷｉＦｉスポットに何も登録されていなければ、無線ＬＡＮのスキャンを行わずに処理を終了する（ステップＳ１３のＮｏ）。また変形例として、電力消費よりも無線ＬＡＮへの接続可能性を重視するなら、ＷｉＦｉスポットが何も登録されていない場合、後述するステップＳ４１へルーチンが進むようにしてスキャンを実行してもよい。この変形例によれば、後述するステップＳ４５で切断検知をしてもＧＰＳによる測位に切り替え（ステップＳ４９）を行わず、タイマーが満了する毎にスキャンを実行する。
【００２５】
ステップＳ１３の判定に説明を戻す。ＷｉＦｉスポットが登録されている場合（ステップＳ１３のＹｅｓ）、通信制御部２７は、携帯端末１１の現在の位置を取得する（ステップＳ１５）。起動直後は、ＧＰＳ回路２１を用いて現在位置を決定する。
現在位置が求まったら通信制御部２７は、登録されかつ有効な（前述の「設定を有効にする」にチェックマークが付された）ＷｉＦｉスポットのうち現在位置に最も近いＷｉＦｉスポットを探索する。そして、現在位置からそのＷｉＦｉスポットまでの距離を距離計算部３１に計算させる（ステップＳ１７）。ここで、現在位置を基地局が管理するエリアとして決定したときは、そのエリアとＷｉＦｉスポットとの最短距離を求める。
【００２６】
現在位置から直近のＷｉＦｉスポットまでの距離が求まったら、通信制御部２７は、その距離に応じて、以下のように次回の測位および距離計算または無線ＬＡＮのスキャンを行う契機と測位方式を決定し、決定した内容をメモリ２５に格納する。
まず、求まった距離が１キロメートルより遠く、ＷｉＦｉスポットまで遠く離れている場合、通信制御部２７は公衆移動通信網の管理基地局の切り替わりを次回の測位の契機に設定する（ステップＳ２１）。さらに、次回測位方式を「無線」に設定する（ステップＳ２３）。勿論１キロメートルは一例であり、一つの基地局が管理するエリアよりも十分遠い距離のうちで設計者が適宜な閾値を定めればよい。この設定を便宜的にレベル１の段階と呼ぶ。
【００２７】
また、求まった距離が３００メートルを超え１キロメートル以内の場合、通信制御部２７は次の測位の契機を１５分の経過後とすべくタイマー２４に１５分の時間をセットする（ステップＳ２５）。さらに、次回測位方式を「ＧＰＳ」に設定する（ステップＳ２７）。距離の閾値およびタイマーの設定時間は一例に過ぎないが、距離の閾値はレベル１のそれよりも小さい。この設定をレベル２の段階と呼ぶ。
【００２８】
さらにまた、求まった距離が５０メートルを超え３００メートル以内の場合、通信制御部２７は次の測位の契機を５分の経過後とすべくタイマー２４に５分の時間をセットする（ステップＳ２９）。さらに、次回測位方式を「ＧＰＳ」に設定する（ステップＳ３１）。距離の閾値およびタイマーの設定時間は一例に過ぎないが、距離の閾値およびタイマーの設定時間はいずれもレベル２のそれよりも小さい。この設定をレベル３の段階と呼ぶ。
以上のように、通信制御部２７は、求まった距離に応じてレベル１〜３のように次回の測位を実行する契機と測位方式とを設定する。
【００２９】
レベル１〜３の何れかの設定を行った後、通信制御部２７は、次に測位を行う契機が到来するのを待つ（ステップＳ３３）。即ち、公衆移動通信網の管理基地局が切り替わるかまたはタイマー２４が満了する契機を待つ。
そして、設定された契機が訪れると（ステップＳ３５）通信制御部２７は、設定された測位方式に従って測位を実行し、携帯端末１１の現在位置を決定する（ステップＳ３７）。即ち、次回測位方式の設定が「ＧＰＳ」の場合は、ＧＰＳ回路２１を用いて現在位置を決定する。次回測位方式の設定が「無線」の場合は、エリア決定部２９に公衆移動通信網の管理基地局に基づき現在位置（この場合は基地局が管理するエリアになる）を決定させる。その後、ルーチンは前述したステップＳ１７へ進み、通信制御部２７は、現在位置に最も近いＷｉＦｉスポットを探索し、現在位置からそのＷｉＦｉスポットまでの距離を距離計算部３１に計算させる。
【００３０】
以上で述べたように、携帯端末１１がＷｉＦｉスポットから遠く離れており、その距離が公衆移動通信網の管理基地局のエリアの広さに比べて十分大きい場合は、管理基地局の切り替わりを契機に次回の測位を行う。そして、携帯端末とＷｉＦｉスポットとの距離を更新するように制御する（レベル１）。携帯端末１１とＷｉＦｉスポットとの距離が公衆移動通信網の管理基地局のエリアの広さと同等かそれよりも小さい場合は、所定時間の経過を契機として次回の測位を行う。そして、携帯端末とＷｉＦｉスポットとの距離を更新する（レベル２および３）。この場合、管理基地局のエリアよりも高い精度で測位を行う手段として、実施形態ではＧＰＳを用いている。また、携帯端末とＷｉＦｉスポットとの距離が所定の閾値よりも近づくと、測位を行う時間間隔を短くして更新の頻度を高めている（レベル３）。
【００３１】
レベル１〜３の段階は、測位を行うが、無線ＬＡＮのスキャンは行わない。何故なら、最も小さい距離の閾値であるレベル３の５０メートルであっても、無線ＬＡＮのアクセススポットからそれだけの距離があると無線ＬＡＮの電波が届きにくいのである。逆にいえば、無線ＬＡＮ通信網への安定した接続が得られにくい距離をレベル３の小さい方の閾値に定めているのである。
【００３２】
携帯端末１１とＷｉＦｉスポットとの距離が５０メートル以内になると、通信制御部２７は、無線ＬＡＮのスキャンを行う（ステップＳ４１）。そして、ＷｉＦｉスポットが見つかれば無線ＬＡＮ通信網に接続して通信を行うように制御する（レベル４）。レベル４の段階において通信制御部２７は、従来と同様に無線ＬＡＮのスキャンを適当な間隔で実行し、ＷｉＦｉスポットへの接続状態を監視する（ステップＳ４３）。レベル４では測位を実行しない。既にＷｉＦｉスポットの通信範囲内だからである。
【００３３】
その後、ＷｉＦｉスポットへの接続ができなくなると、通信制御部２７は、携帯端末１１がＷｉＦｉスポットから遠ざかったと判断する（ステップＳ４５）。その場合、通信制御部２７は、以降のＷｉＦｉスキャンをやめて、次の測位の契機を５分の経過後としてタイマー２４に５分の時間をセットする（ステップＳ４７）。さらに、次回測位方式を「ＧＰＳ」に設定する（ステップＳ４９）。そして、タイマーの満了を待つ（ステップＳ５１）。タイマーが満了すると、ルーチンは前述のステップＳ３５へ進む。
【００３４】
以上のように、通信制御部２７は、測位に基づいてＷｉＦｉスポットのエリアに接近したと判断したらＷｉＦｉスキャンを行うように制御する。接続中は無線ＬＡＮ通信網を用いた通信を行い、測位は行わないように制御する。そして、ＷｉＦｉスポットへの接続が切断すると、スキャンをやめて測位を行うように制御する。よって、ＷｉＦｉスポットへの安定した接続が得られない場合は、無駄なスキャンを行わない。さらに、ＷｉＦｉスポットから前記閾値よりも遠く離れると、ＧＰＳによる測位をやめて、さらに電力消費を抑制する。このようにして、電池４１に蓄えられた限りのある電力を効率的に使用し電力消費を抑えるように制御する。
【００３５】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００３６】
１１：携帯端末
１３：無線ＬＡＮ用通信アンテナ
１５：無線ＬＡＮ通信インターフェイス回路
１７：移動通信用アンテナ
１９：移動通信インターフェイス回路
２１：ＧＰＳ回路
２３：制御部
２４：タイマー
２５：メモリ
２７：通信制御部
２９：エリア決定部
３０：位置決定部
３１：距離計算部
３３：スピーカ
３５：マイクロフォン
３７：液晶ディスプレイ
３９：タッチパネルセンサー
４１：電池
５１：登録メニュー
【図１】
2013201656.tif 000003
【図２】
2013201656.tif 000004
【図３】
2013201656.tif 000005